(57)【要約】【課題】乗客に指定された目的階及びエレベーターのかご内の混雑度に応じて通路領域を除く所定の案内領域に乗客を誘導する。【解決手段】エレベーターの乗客誘導装置は、エレベーターの乗りかご内の所定の領域を指定して、乗客を誘導するかご内誘導装置と、前記かご内誘導装置により指定する領域を制御する制御部を備え、前記制御部は、前記エレベーターの乗りかごの床面を、乗客を誘導する複数の案内領域と、前記案内領域以外の通路領域とに区分し、乗客の入力に応じて指定された目的階及び前記エレベーターの乗りかご内の混雑状況に応じて、前記複数の案内領域のいずれかを乗客を誘導する案内領域とし、前記かご内誘導装置により該案内領域を指定させる。【選択図】図３
2014237530.tif 000002
【特許請求の範囲】
【請求項１】
エレベーターの乗りかご内の所定の領域を指定して、乗客を誘導するかご内誘導装置と、
前記かご内誘導装置により指定する領域を制御する制御部と、
を備え、
前記制御部は、
前記エレベーターの乗りかごの床面を、乗客を誘導する複数の案内領域と、前記案内領域以外の通路領域とに区分し、
乗客の入力に応じて指定された目的階及び前記エレベーターの乗りかご内の混雑状況に応じて、前記複数の案内領域のいずれかを乗客を誘導する案内領域とし、前記かご内誘導装置により該案内領域を指定させる
ことを特徴とする、エレベーターの乗客誘導装置。
【請求項２】
前記制御部は、
乗客の入力に応じて指定された前記目的階と、乗客が前記エレベーターに乗車した乗車階とが離れた階の場合に、乗客を誘導する前記案内領域を前記乗りかご内の後方の案内領域とし、
前記目的階と前記乗車階とが近い階の場合に、乗客を誘導する前記案内領域を前記乗りかご内の前方の案内領域とする
ことを特徴とする、請求項１に記載の乗客誘導装置。
【請求項３】
前記制御部は、
前記エレベーターの乗りかごの床面の中央付近を、前記乗客が降車時に利用する前記通路領域に区分する
ことを特徴とする、請求項１に記載の乗客誘導装置。
【請求項４】
前記かご内誘導装置は、前記案内領域を照射するかご内誘導照明であって、
前記制御部は、
前記案内領域に前記かご内誘導照明を照射させる
ことを特徴とする、請求項１に記載の乗客誘導装置。
【請求項５】
前記乗りかご内の床面に荷重センサを備え、
前記制御部は、
前記荷重センサにより検知された前記乗りかご内の荷重データをもとに、前記エレベーターの乗りかご内の混雑状況を判定する
ことを特徴とする、請求項１に記載の乗客誘導装置。
【請求項６】
前記制御部は、
乗客を誘導する一の案内領域の荷重が一定以上となった場合に、乗客を誘導する案内領域前記一の案内領域付近の他の案内領域に変更する
ことを特徴とする、請求項５に記載の乗客誘導装置。
【請求項７】
エレベーターの乗りかご内の所定の領域を照射して、乗客を誘導するかご内誘導装置と、前記かご内誘導照明の照射領域を制御する制御部を備えたエレベーターの乗客誘導装置におけるエレベーターの乗客誘導方法であって、
前記制御部が、前記エレベーターの乗りかごの床面を、乗客を誘導する複数の案内領域と、前記案内領域以外の通路領域とに区分する第１のステップと、
前記制御部が、乗客の入力に応じて指定された目的階及び前記エレベーターの乗りかご内の混雑状況に応じて、前記複数の案内領域のいずれかを乗客を誘導する案内領域とし、前記かご内誘導装置により該案内領域を指定させる第２のステップと、
を含むことを特徴とする、エレベーターの乗客誘導方法。
【発明の詳細な説明】
【技術分野】
【０００１】
本発明は、エレベーターの乗客誘導装置及びエレベーターの乗客誘導方法に関し、エレベーターの乗降時に乗客を誘導するエレベーターの乗客誘導装置及びエレベーターの乗客誘導方法に適用して好適なるものである。
【背景技術】
【０００２】
従来から、エレベーターの乗りかご内には目的階が異なる乗客が無秩序に混在しており、目的階に到着した際に、乗りかごから降りる乗客は、かご内の多数の乗客の間をすり抜けて移動する必要があった。
【０００３】
特許文献１では、エレベーターの乗り降りを円滑に行うために、乗客の目的階に応じた複数の案内領域に区分されたかご床面と、この床面の各案内領域に関する表示手段を設けることで、乗りかごに多数の乗客が乗っていても乗りかごから円滑に乗り降りすることができることが開示されている。
【０００４】
また、特許文献２では、乗りかご内の荷重データをもとに、かご内の後方に移動を促すアナウンスを放送して乗客を誘導し、かご内に空きスペースをつくり、乗客の案内スペースを確保することが開示されている。
【先行技術文献】
【特許文献】
【０００５】
【特許文献１】特開２００５−２７２１２７号公報
【特許文献２】特開２００２−１６７１３０号公報
【発明の概要】
【発明が解決しようとする課題】
【０００６】
しかし、上記特許文献１では、目的階に応じた案内領域に乗客を誘導しても、特定の目的階に乗客が集まってしまうと、特定の案内領域に乗客が溢れてしまうという問題があった。また、エレベーターのかご内に目的階に応じた複数の案内領域を区分し、目的階に関した案内表示を設置することで、ホテルや観光施設内に備えているエレベーターの意匠性を大幅に損なうことも問題となる。また、乗客の積載状況を荷重データで判別し、かご内の空きスペースへ誘導を促したとしても目的階が異なる場合には、かご内の乗客が無秩序に混在してしまうことも問題となる。
【０００７】
本発明は以上の点を考慮してなされたもので、乗客に指定された目的階及びエレベーターのかご内の混雑度に応じて、通路領域を除く所定の案内領域に乗客を誘導して、乗客の乗降を円滑にすることが可能なエレベーターの乗客誘導装置及びエレベーターの乗客誘導方法を提案しようとするものである。
【課題を解決するための手段】
【０００８】
かかる課題を解決するために本発明においては、エレベーターの乗りかご内の所定の領域を指定して、乗客を誘導するかご内誘導装置と、前記かご内誘導装置により指定する領域を制御する制御部を備え、前記制御部は、前記エレベーターの乗りかごの床面を、乗客を誘導する複数の案内領域と、前記案内領域以外の通路領域とに区分し、乗客の入力に応じて指定された目的階及び前記エレベーターの乗りかご内の混雑状況に応じて、前記複数の案内領域のいずれかを乗客を誘導する案内領域とし、前記かご内誘導装置により該案内領域を指定させることを特徴とする、エレベーターの乗客誘導装置が提供される。
【０００９】
かかる構成によれば、乗客が乗りかごに乗車する際に、乗客に指定された目的階及び混雑状況に応じて乗りかご内の特定の案内領域に誘導する。かご内誘導装置を、例えば、かご内誘導照明とすれば、乗りかご内に案内表示等を設置する必要がないため、乗りかご内の意匠性を損なうことなく、乗客を適切な領域に誘導することができる。また、乗客を誘導する領域を、通路領域以外の案内領域とすることにより、所定の領域に誘導された乗客がエレベーターの乗りかごから降車する際に、他の乗客の間をすり抜けることなく、通路領域から円滑に降車することが可能となる。
【発明の効果】
【００１０】
本発明によれば、乗客に指定された目的階及びエレベーターのかご内の混雑度に応じて、通路領域を除く所定の案内領域に乗客を誘導して、乗客の乗降を円滑にすることができる。
【図面の簡単な説明】
【００１１】
【図１】本実施の形態の概要を説明する概念図である。
【図２】同実施形態にかかるエレベーター乗客誘導装置の構成を示すブロック図である。
【図３】同実施形態にかかる乗りかご内の床面の区分領域を説明する概念図である。
【図４】同実施形態にかかるかご内誘導照明及び荷重センサの位置を示す概念図である。
【図５】同実施形態にかかる行き先階登録装置を説明する概念図である。
【図６】同実施形態にかかるエレベーター乗客誘導装置の動作を示すフローチャートである。
【発明を実施するための形態】
【００１２】
以下図面について、本発明の一実施の形態を詳述する。
【００１３】
（１）本実施の形態の概要
まず、図１を参照して、本実施の形態の概要について説明する。図１は、エレベーターの乗りかご１内を示す。図１に示すように、エレベーターの乗りかご１には、かご内誘導照明４が備えられている。かご内誘導照明４は、乗りかご１に乗客２が乗車する際に、乗客を空きスペースに誘導するために、かご内の所定の領域を照射する。かご内誘導照明４は、本発明のかご内誘導装置の一例である。
【００１４】
例えば、乗客２が降車する階（以降、これを目的階と称する。）が、乗車階よりも離れた階である場合には、かご内誘導照明４により乗りかご１の背面側の領域を照射することにより、乗客２を乗りかご１の後方に誘導する。また、乗客２の目的階が乗車階に近い階である場合には、かご内誘導照明４により乗りかご１の扉側の領域を照射することにより、乗客２を乗りかご１の前方に誘導する。
【００１５】
さらに、乗客２を誘導する領域を、かご内中央付近以外の領域とすることにより、かご内中央付近の領域を乗客２が乗降する際の通路領域とする。これにより、所定の領域に誘導された乗客２がエレベーターの乗りかご１から降車する際に、他の乗客の間をすり抜けることなく、通路領域から円滑に降車することが可能となる。
【００１６】
（２）エレベーター乗客誘導装置の構成
次に、図２〜図５を参照して、エレベーター乗客誘導装置１０の構成について説明する。図２は、エレベーター乗客誘導装置１０の構成を示すブロック図である。エレベーター乗客誘導装置１０は、エレベーターの乗客を所定の領域に誘導するためにエレベーターのかご内誘導照明４を制御するコンピュータ装置である。
【００１７】
図２に示すように、エレベーター乗客誘導装置１０は、行き先階登録装置５と、荷重センサ６と、制御部１１及びかご内誘導照明４などから構成される。
【００１８】
行き先階登録装置５は、エレベーターの乗場側の扉付近に設置され、乗客の入力に応じて目的階を登録する装置である。荷重センサ６は、乗りかご１内の床部分に備えられ、乗りかご内の荷重を検知する装置である。
【００１９】
制御部１１は、入力部１２、判定部１３及び誘導部１４から構成される。入力部１２は、行き先階登録装置５を介して入力された乗客の行き先階情報と、荷重センサ６により検知された乗りかご１内の荷重データを判定部１３に提供する。
【００２０】
判定部１３は、入力部１２から提供された乗客の行き先階情報及び乗りかご１内の荷重データに基づいて、乗りかご１内のいずれの領域に乗客を誘導すべきかを判定する。判定部１３は、乗りかご１内の領域を予め複数の領域に区分して、乗客の行き先階に応じて乗客を誘導すべき適切な領域を特定し、当該領域の情報を誘導部１４に提供する。
【００２１】
誘導部１４は、判定部１３から提供された領域の情報をもとに、かご内誘導照明４に照射領域を指示する。
【００２２】
図３を参照して、乗りかご１内の床面の区分領域について説明する。図３に示すように、乗りかご１内の床面は、複数の領域３a、領域３ｂ、領域３ｃ、領域３ｄ、領域３ｅ、領域３ｆ、領域３ｇ及び領域３ｈに区分されている。このうち、領域３ａ〜領域３ｇは乗客を誘導する領域であり、領域３ｈは乗客を誘導せずに乗客が乗降する際の通路領域とする領域である。
【００２３】
例えば、乗車階から目的階が離れている乗客２を乗りかご１の背面側に誘導し、乗車階から目的階が近い乗客２を乗りかご１の中央または出入口付近に誘導する。すなわち、乗りかご１が昇り専用の場合には、図１の領域３a、３ｂ及び３ｃを、目的階が高層階の乗客を誘導する領域として割り振る。また３ｄ及び３ｅは中層階、３ｆ及び３ｇを、目的階が近い低層階の乗客を誘導する領域として割り振る。
【００２４】
ただし、乗客を誘導する領域の割り振りは、乗りかご内の混雑状況によって変更してもよい。乗りかご内の混雑状況は、乗りかご１の床に備えられた荷重センサ６により検知する。具体的に、荷重センサ６により検知された荷重データによって、領域３a、３ｂ、３ｃ、３ｄ、３ｅ、３ｆ及び３ｇの混雑状況を検出する。
【００２５】
例えば、乗車階から目的階が離れている乗客２が、乗車階から目的階が近い乗客２より多い場合には、乗車階から目的階が離れている乗客２を３a、３ｂ及び３ｃの領域に限らず、当該領域以外の３a、３ｂ及び３ｃ付近の領域に誘導することにより、乗りかご１内の乗客を適切に分散して配置することができる。
【００２６】
図４に示すように、かご内誘導照明４は、乗りかご１内の扉上部に備えられていてもよいし、乗りかご１の床を照射できる位置であれば乗りかご内のいずれの場所に備えられていてもよい。かご内誘導照明４は、案内表示などのように大掛かりで目立つ装置ではないため、乗りかご１内の意匠性を損なうことなく、乗客２を適切な領域に誘導することができる。
【００２７】
また、荷重センサ６は、図４に示すように、乗りかご１の床に備えられている。荷重センサ６は、上記した領域３a、３ｂ、３ｃ、３ｄ、３ｅ、３ｆ、３ｇ及び３ｈに対応して備えられ、領域毎の荷重を検知して入力部１２に提供する。
【００２８】
また、図５に示すように、行き先階登録装置５は、乗場側の扉付近に設置され、乗客２が操作し易い位置に備えられている。例えば、乗客２は、乗りかご１に乗車するために、行き先階登録装置５の階数釦を押下することにより、行き先階を指定し、エレベーターが到着するのを待つ。また、ＩＣカード等に予め行き先階が登録されている場合には、行き先階登録装置５がＩＣカードに記憶された情報を読み取って、行き先階の情報を入力部１２に提供するようにしてもよい。
【００２９】
また、上記したように、図３に示す領域３ｈは、乗客を誘導せずに乗客が乗降する際の通路領域としている。例えば、乗車階より目的階が離れている乗客が乗りかご１内に乗客した場合に、かご内誘導照明４によりかご内の領域３ａまたは領域３ｃが照射され、乗客２が誘導される。その後、乗車階より目的階が近い乗客が乗車した場合には、かご内誘導照明４により領域３ｄまたは領域３ｅが照射され、乗客２が当該領域に誘導される。
【００３０】
ここで、乗車階よりも目的階が離れている乗客が領域３ｄ及び領域３ｅに集中しており、その後に、乗車階より目的階が近い乗客がエレベーターに乗車することが考えられる。このとき、かご内誘導照明４は、乗客が集中していない領域３ａ〜領域３ｃの領域に乗客を誘導することにより、乗りかご１内の乗客の配置を適切に分散することができる。この場合、乗車扉に対して、乗車階より目的階が近い乗客が、乗車階より目的階が離れている乗客より奥に位置してしまい、目的階が近い乗客の降車が円滑に行われないことが考えられる。
【００３１】
しかし、本実施の形態では、上記したように、領域３ｈを通路領域としているため、領域３ａ〜領域３ｃに誘導された乗客が、領域３ｄ及び領域３ｅに誘導された乗客よりも先に乗りかご１から降車する場合でも、乗りかご１内を円滑に移動することができる。
【００３２】
（３）エレベーター乗客誘導装置の動作
次に、図６を参照して、エレベーター乗客誘導装置１０の動作の詳細について説明する。図６に示すように、まず、行き先階登録装置５を介して目的階が入力部１２に入力されると（Ｓ１０１）、判定部１３は、目的階に応じた案内領域を決定する（Ｓ１０２）。
【００３３】
具体的に、ステップＳ１０２において、判定部１３は、ステップＳ１０１で入力された目的階と乗車階とを比較して、乗客を図３に示すいずれの領域に誘導するかを決定する。例えば、目的階が乗車階より離れた階である場合には、乗りかご１の後方の領域３a、３ｂ及び３ｃを誘導する領域とする。
【００３４】
そして、判定部１３は、荷重センサ６により検知された荷重データを確認し（Ｓ１０３）、ステップＳ１０２において決定した案内領域を変更する必要があるかを判定する（Ｓ１０４）。具体的に、判定部１３は、荷重データにより、ステップＳ１０２で決定した案内領域が、乗りかご１内で乗客２が集中している領域であるかを確認する。ステップＳ１０２で決定した案内領域が、乗客２が集中している領域であった場合には、案内領域を変更する必要があると判定する。
【００３５】
ステップＳ１０４において、案内領域を変更する必要があると判定された場合には、判定部１３は、ステップＳ１０２で決定した領域付近で、乗客２が集中していない領域を案内領域に変更する（Ｓ１０５）。ステップＳ１０４において、案内領域を変更する必要がないと判定された場合には、ステップＳ１０６以降の処理を実行する。
【００３６】
そして、誘導部１４は、ステップＳ１０２またはステップＳ１０５で決定された案内領域を照射することにより、乗客２を誘導する（Ｓ１０６）。
【００３７】
（４）本実施の形態の効果
以上のように、本実施の形態によれば、乗客が乗りかご１に乗車する際に、乗客に指定された目的階に応じて乗りかご１内の案内領域に誘導する。乗りかご１内の床に設けられた荷重センサ６により検知された荷重データをもとに、案内領域の荷重が一定以上となった場合には、他の案内領域に誘導する。かご内誘導照明４を用いて、乗客を乗りかご１内の所定の案内領域に誘導するため、乗りかご１内に案内表示等を設置する必要がないため、乗りかご１内の意匠性を損なうことなく、乗客を適切な領域に誘導することができる。また、乗客２を誘導する領域を、かご内中央付近以外の領域とすることにより、所定の領域に誘導された乗客２がエレベーターの乗りかご１から降車する際に、他の乗客の間をすり抜けることなく、通路領域から円滑に降車することが可能となる。
【符号の説明】
【００３８】
１      乗りかご
４      かご内誘導照明
５      行き先階登録装置
６      荷重センサ
１０    エレベーター乗客誘導装置
１１    制御部
１２    入力部
１３    判定部
１４    誘導部
【図１】
2014237530.tif 000003
【図２】
2014237530.tif 000004
【図３】
2014237530.tif 000005
【図４】
2014237530.tif 000006
【図５】
2014237530.tif 000007
【図６】
2014237530.tif 000008